(57)【要約】【課題】焦点調整が可能なガーデンライトを提供する。【解決手段】焦点調整が可能なガーデンライトは、地面挿入部１０と、地面挿入部１０上に着脱可能に取り付けられたランプ２０とを備える。ランプ２０は、ランプ体２２、光源アセンブリ及び位置調整部材２４を有する。ランプ体２２の底端下には、固定部が設けられる。固定部は、地面挿入部１０に着脱可能に取り付けられるとともに、地面挿入部１０に対して旋回可能である。ランプ体２２は、メインハウジングと、メインハウジングの外表面上に取り付けられた調節ハウジング２２９とを有する。調節ハウジング２２９内には、凸レンズが配設される。調節ハウジング２２９は、位置調整溝に沿って凸レンズを移動させて凸レンズの焦点距離を変え、照射角度を変える。【選択図】図１
0003226123.tif 000002
【実用新案登録請求の範囲】
【請求項１】
地面挿入部と、前記地面挿入部上に着脱可能に取り付けられたランプと、を備えた焦点調整が可能なガーデンライトであって、
前記ランプは、ランプ体、光源アセンブリ及び位置調整部材を有し、
前記ランプ体の底端下には、固定部が設けられ、
前記固定部は、前記地面挿入部に着脱可能に取り付けられるとともに、前記地面挿入部に対して旋回可能であり、
前記ランプ体は、メインハウジングと、前記メインハウジングの外表面上に取り付けられた調節ハウジングと、を有し、
前記メインハウジングの外表面上には、その前後方向に延びた位置調整溝が形成され、２つの前記位置調整溝内には、可動可能な位置調整部材が配設され、
前記メインハウジング内には、光源アセンブリが取り付けられ、
前記光源アセンブリ外側の前記メインハウジング内には、光反射ミラーが設けられ、
前記調節ハウジング内には、凸レンズが配設され、
前記調節ハウジングは、前記位置調整溝に沿って前記凸レンズを移動させて前記凸レンズの焦点距離を変え、照射角度を変えることを特徴とする、焦点調整が可能なガーデンライト。
【請求項２】
前記固定部の外側には、位置調整ギアが配設され、
前記地面挿入部の頂部には、装着部が設けられ、
前記装着部の外側面上には、インデックスギアが設けられ、
前記位置調整ギアが前記インデックスギアと噛合することを特徴とする請求項１に記載の焦点調整が可能なガーデンライト。
【請求項３】
前記位置調整ギアと前記インデックスギアとを噛合させてから、装着孔及び前記位置調整ギアに螺杆を挿通させて両者を連結固定し、前記螺杆の外側には、位置調整雌ねじが延設されることを特徴とする請求項２に記載の焦点調整が可能なガーデンライト。
【請求項４】
前記ランプ体の底端下には、装着溝が形成され、
前記装着溝内には、固定部材が取り付けられることを特徴とする請求項１に記載の焦点調整が可能なガーデンライト。
【請求項５】
前記ランプ体は、前記メインハウジングと、前記メインハウジングの前端外側面上に取り付けられた調節ハウジング群と、を有し、
前記メインハウジングの前端には、調節部が設けられ、
前記調節ハウジング群は、前記調節部の外側面に嵌設され、前記調節部に沿って前後に移動可能であり、前記調節部の外側面上には、対称に設けられた２つの前記位置調整溝が形成され、前記位置調整部材は、対応した前記位置調整溝内に取り付けられるとともに、前記位置調整溝に沿って前後に移動可能であり、前記位置調整部材は、Ｖ字状のベースと、前記ベースの外側面上に設けられた凸点と、を有し、Ｖ字状ベースが取り付けられた後、開口が後方を向いて設けられ、前記凸点が外方を向いて設けられた前記ランプ体上には、位置決め雌ねじが設けられ、前記調節ハウジング上には、位置決め孔が形成され、前記メインハウジング上には、位置決め長溝が形成され、適切な焦点距離に調節されたときに、位置調整雌ねじが外方から位置決め孔を介して前記位置決め長溝内に係入されることを特徴とする請求項１に記載の焦点調整が可能なガーデンライト。
【請求項６】
前記調節ハウジング群は、前記調節ハウジングと、前記調節ハウジング内に取り付けられた装着リングと、前記光反射ミラーと、前記凸レンズと、複数のパッキンと、を有し、
前記装着リング、前記光反射ミラー及び前記凸レンズは、内方から外方に順次配列され、複数の前記パッキンは、前記光反射ミラー、前記凸レンズ、前記調節ハウジングの間にそれぞれ取り付けられ、前記調節ハウジング上には、前記位置調整溝に対応した位置に位置調整孔が形成され、前記位置調整部材のＶ字状ベースは、前記位置調整溝内に取り付けられ、前記凸点は、前記位置調整孔内に延ばされることを特徴とする請求項５に記載の焦点調整が可能なガーデンライト。
【請求項７】
前記調節部の前側外周表面上には、複数の係合溝が形成され、
前記調節部の外側面上には、前記ランプ体の延伸方向に延びた螺着溝が形成され、
前記螺着溝内には、ねじが配設され、
前記調節ハウジング群から前記螺着溝にかけて前記ねじが貫通され、前記調節ハウジング群が前記ランプ上にロックされることを特徴とする請求項５に記載の焦点調整が可能なガーデンライト。
【請求項８】
前記光源アセンブリは、装着フレーム、配線基板及びＬＥＤ光源を有し、
支持部は、一端が前記ランプ体の内側後端部に取り付けられ、他端が前記メインハウジングの前端部まで延び、
前記配線基板は、前記装着フレームの前端面上に取り付けられ、
前記ＬＥＤ光源は、前記配線基板上に取り付けられるとともに、前記凸レンズに対応して配設されることを特徴とする請求項１に記載の焦点調整が可能なガーデンライト。
【考案の詳細な説明】
【技術分野】
【０００１】
本考案は、照明装置に関するものであり、さらに詳しくは、ガーデンライト、特に焦点調整が可能なガーデンライトに関するものである。
【背景技術】
【０００２】
従来、よく見かけるガーデンライトの構造は、ライトカバー、光源、ライト杆及び地面挿入部により構成されるが、このような構造のガーデンライトには方向転換構造が設けられていないため、出光方向を自由に調整することができないという難点があった。季節及び状況の変化に伴い、照明の対象物が変わるか植物を照らすとき、照明エリア、照明範囲に対する要求及び色温度が変わることがある。しかし、従来よく見かけるガーデンライトの大部分は、出光面が固定され、焦点が固定されていたため、条件が変わると照明装置を別途購入しなければならず、実用的価値が低いことが指摘されてきた。
【考案の概要】
【考案が解決しようとする課題】
【０００３】
従って、本考案の課題は、方向転換できなかった従来技術の問題点を改善することが可能であり、焦点調整が可能なガーデンライトを提供することにある。
【課題を解決するための手段】
【０００４】
そこで、本考案者は、本考案の前記課題を解決するため、鋭意検討を重ねた結果、前記ランプは、ランプ体、光源アセンブリおよび位置調整部材を有することにより、前記課題を解決できる点に着目し、かかる知見に基いて本考案を完成するに至った。
【０００５】
すなわち、上記課題を解決するために、本考案の第１の形態によれば、地面挿入部と、前記地面挿入部上に着脱可能に取り付けられたランプとを備えた焦点調整が可能なガーデンライトであって、前記ランプは、ランプ体、光源アセンブリ及び位置調整部材を有し、前記ランプ体の底端下には、固定部が設けられ、前記固定部は、前記地面挿入部に着脱可能に取り付けられるとともに、前記地面挿入部に対して旋回可能であり、前記ランプ体は、メインハウジングと、前記メインハウジングの外表面上に取り付けられた調節ハウジングと、を有し、前記メインハウジングの外表面上には、その前後方向に延びた位置調整溝が形成され、２つの前記位置調整溝内には、可動可能な位置調整部材が配設され、前記メインハウジング内には、光源アセンブリが取り付けられ、前記光源アセンブリ外側の前記メインハウジング内には、光反射ミラーが設けられ、前記調節ハウジング内には、凸レンズが配設され、前記調節ハウジングは、前記位置調整溝に沿って前記凸レンズを移動させて前記凸レンズの焦点距離を変え、照射角度を変えることを特徴とする、焦点調整が可能なガーデンライトを提供する。
【０００６】
前記固定部の外側には、位置調整ギアが配設され、前記地面挿入部の頂部には、装着部が設けられ、前記装着部の外側面上には、インデックスギアが設けられ、前記位置調整ギアが前記インデックスギアと噛合することが好ましい。
【０００７】
前記位置調整ギアと前記インデックスギアとを噛合させてから、装着孔及び前記位置調整ギアに螺杆を挿通させて両者を連結固定し、前記螺杆の外側には、位置調整雌ねじが延設されることが好ましい。
【０００８】
前記ランプ体の底端下には、装着溝が形成され、前記装着溝内には、固定部材が取り付けられることが好ましい。
【０００９】
前記ランプ体は、前記メインハウジングと、前記メインハウジングの前端外側面上に取り付けられた調節ハウジング群と、を有し、前記メインハウジングの前端には、調節部が設けられ、前記調節ハウジング群は、前記調節部の外側面に嵌設され、前記調節部に沿って前後に移動可能であり、前記調節部の外側面上には、対称に設けられた２つの前記位置調整溝が形成され、前記位置調整部材は、対応した前記位置調整溝内に取り付けられるとともに、前記位置調整溝に沿って前後に移動可能であり、前記位置調整部材は、Ｖ字状のベースと、前記ベースの外側面上に設けられた凸点と、を有し、Ｖ字状ベースが取り付けられた後、開口が後方を向いて設けられ、前記凸点が外方を向いて設けられた前記ランプ体上には、位置決め雌ねじが設けられ、前記調節ハウジング上には、位置決め孔が形成され、前記メインハウジング上には、位置決め長溝が形成され、適切な焦点距離に調節されたときに、位置調整雌ねじが外方から位置決め孔を介して前記位置決め長溝内に係入されることが好ましい。
【００１０】
前記調節ハウジング群は、前記調節ハウジングと、前記調節ハウジング内に取り付けられた装着リングと、前記光反射ミラーと、前記凸レンズと、複数のパッキンと、を有し、前記装着リング、前記光反射ミラー及び前記凸レンズは、内方から外方に順次配列され、複数の前記パッキンは、前記光反射ミラー、前記凸レンズ、前記調節ハウジングの間にそれぞれ取り付けられ、前記調節ハウジング上には、前記位置調整溝に対応した位置に位置調整孔が形成され、前記位置調整部材のＶ字状ベースは、前記位置調整溝内に取り付けられ、前記凸点は、前記位置調整孔内に延ばされることが好ましい。
【００１１】
前記調節部の前側外周表面上には、複数の係合溝が形成され、前記調節部の外側面上には、前記ランプ体の延伸方向に延びた螺着溝が形成され、前記螺着溝内には、ねじが配設され、前記調節ハウジング群から前記螺着溝にかけて前記ねじが貫通され、前記調節ハウジング群が前記ランプ上にロックされることが好ましい。
【００１２】
前記光源アセンブリは、装着フレーム、配線基板及びＬＥＤ光源を有し、支持部は、一端が前記ランプ体の内側後端部に取り付けられ、他端が前記メインハウジングの前端部まで延び、前記配線基板は、前記装着フレームの前端面上に取り付けられ、前記ＬＥＤ光源は、前記配線基板上に取り付けられるとともに、前記凸レンズに対応して配設されることが好ましい。
【００１３】
かくして、本考案の要旨は、次の（１）〜（８）に記載の通りのものである。
（１）地面挿入部と、前記地面挿入部上に着脱可能に取り付けられたランプと、を備えた焦点調整が可能なガーデンライトであって、
前記ランプは、ランプ体、光源アセンブリ及び位置調整部材を有し、
前記ランプ体の底端下には、固定部が設けられ、
前記固定部は、前記地面挿入部に着脱可能に取り付けられるとともに、前記地面挿入部に対して旋回可能であり、
前記ランプ体は、メインハウジングと、前記メインハウジングの外表面上に取り付けられた調節ハウジングと、を有し、
前記メインハウジングの外表面上には、その前後方向に延びた位置調整溝が形成され、２つの前記位置調整溝内には、可動可能な位置調整部材が配設され、
前記メインハウジング内には、光源アセンブリが取り付けられ、
前記光源アセンブリ外側の前記メインハウジング内には、光反射ミラーが設けられ、
前記調節ハウジング内には、凸レンズが配設され、
前記調節ハウジングは、前記位置調整溝に沿って前記凸レンズを移動させて前記凸レンズの焦点距離を変え、照射角度を変えることを特徴とする、焦点調整が可能なガーデンライト。
（２）前記固定部の外側には、位置調整ギアが配設され、
前記地面挿入部の頂部には、装着部が設けられ、
前記装着部の外側面上には、インデックスギアが設けられ、
前記位置調整ギアが前記インデックスギアと噛合することを特徴とする前記（１）に記載の焦点調整が可能なガーデンライト。
（３）前記位置調整ギアと前記インデックスギアとを噛合させてから、装着孔及び前記位置調整ギアに螺杆を挿通させて両者を連結固定し、前記螺杆の外側には、位置調整雌ねじが延設されることを特徴とする前記（２）に記載の焦点調整が可能なガーデンライト。
（４）前記ランプ体の底端下には、装着溝が形成され、
前記装着溝内には、固定部材が取り付けられることを特徴とする前記（１）に記載の焦点調整が可能なガーデンライト。
（５）前記ランプ体は、前記メインハウジングと、前記メインハウジングの前端外側面上に取り付けられた調節ハウジング群と、を有し、
前記メインハウジングの前端には、調節部が設けられ、
前記調節ハウジング群は、前記調節部の外側面に嵌設され、前記調節部に沿って前後に移動可能であり、前記調節部の外側面上には、対称に設けられた２つの前記位置調整溝が形成され、前記位置調整部材は、対応した前記位置調整溝内に取り付けられるとともに、前記位置調整溝に沿って前後に移動可能であり、前記位置調整部材は、Ｖ字状のベースと、前記ベースの外側面上に設けられた凸点と、を有し、Ｖ字状ベースが取り付けられた後、開口が後方を向いて設けられ、前記凸点が外方を向いて設けられた前記ランプ体上には、位置決め雌ねじが設けられ、前記調節ハウジング上には、位置決め孔が形成され、前記メインハウジング上には、位置決め長溝が形成され、適切な焦点距離に調節されたときに、位置調整雌ねじが外方から位置決め孔を介して前記位置決め長溝内に係入されることを特徴とする前記（１）に記載の焦点調整が可能なガーデンライト。
（６）前記調節ハウジング群は、前記調節ハウジングと、前記調節ハウジング内に取り付けられた装着リングと、前記光反射ミラーと、前記凸レンズと、複数のパッキンと、を有し、
前記装着リング、前記光反射ミラー及び前記凸レンズは、内方から外方に順次配列され、複数の前記パッキンは、前記光反射ミラー、前記凸レンズ、前記調節ハウジングの間にそれぞれ取り付けられ、前記調節ハウジング上には、前記位置調整溝に対応した位置に位置調整孔が形成され、前記位置調整部材のＶ字状ベースは、前記位置調整溝内に取り付けられ、前記凸点は、前記位置調整孔内に延ばされることを特徴とする前記（５）に記載の焦点調整が可能なガーデンライト。
（７）前記調節部の前側外周表面上には、複数の係合溝が形成され、
前記調節部の外側面上には、前記ランプ体の延伸方向に延びた螺着溝が形成され、
前記螺着溝内には、ねじが配設され、
前記調節ハウジング群から前記螺着溝にかけて前記ねじが貫通され、前記調節ハウジング群が前記ランプ上にロックされることを特徴とする前記（５）に記載の焦点調整が可能なガーデンライト。
（８）前記光源アセンブリは、装着フレーム、配線基板及びＬＥＤ光源を有し、
支持部は、一端が前記ランプ体の内側後端部に取り付けられ、他端が前記メインハウジングの前端部まで延び、
前記配線基板は、前記装着フレームの前端面上に取り付けられ、
前記ＬＥＤ光源は、前記配線基板上に取り付けられるとともに、前記凸レンズに対応して配設されることを特徴とする前記（１）に記載の焦点調整が可能なガーデンライト。
【考案の効果】
【００１４】
本考案の焦点調整が可能なガーデンライトは、方向転換できなかった従来技術の問題点を改善することができる。
【図面の簡単な説明】
【００１５】
【図１】本考案の一実施形態に係る焦点調整が可能なガーデンライトを示す斜視図である。
【図２】図１の断面図である。
【図３】図１の側面図である。
【図４】本考案の一実施形態に係る焦点調整が可能なガーデンライトを示す分解斜視図（１）である。
【図５】本考案の一実施形態に係る焦点調整が可能なガーデンライトを示す分解斜視図（２）である。
【図６】本考案の一実施形態に係る焦点調整が可能なガーデンライトの角度を調整するときの状態を示す側面図である。
【図７】本考案の一実施形態に係る焦点調整が可能なガーデンライトの焦点を調整するときの状態を示す側面図である。
【考案を実施するための形態】
【００１６】
本考案の技術手段及びそれにより達成可能な効果を、より完全かつ明白に開示するために、開示した添付の図面及び符号と併せて本考案を以下に詳説する。もっとも本考案は、かかる図面により制限されるものではない。
【００１７】
図１〜図４を参照する。図１〜図４に示すように、本考案の一実施形態に係る焦点調整が可能なガーデンライトは、少なくとも地面挿入部１０と、地面挿入部１０上に取り付けるランプ２０と、から構成されてなる。上述したランプ２０は、全体的に地面挿入部１０に対してインデックス回転させることが可能であるとともに、必要に応じて焦点を調整することもできる。
【００１８】
上述した地面挿入部１０の頂部には、装着部材１１が配設される。本実施形態の装着部材１１は、螺杆を介して地面挿入部１０に螺着される。上述した装着部材１１の頂部には、装着部１２が設けられる。上述した装着部１２上には、横向きに貫通した装着孔１３が形成される。装着部１２の内側端面上には、インデックスギア１４が配設される。上述したランプ２０の底部には、固定部材２１が配設される。上述した固定部材２１の側部には、位置調整ギア２２１が配設される。固定部材２１は、上述した装着部１２に取り付けられるとともに、上述した位置調整ギア２２１とインデックスギア１４とを噛合させてから、螺杆を装着孔１３及び位置調整ギア２２１に挿通させて両者を連結固定させる。上述した螺杆の外側には、位置調整雌ねじ（図示せず）が延設される。実際に使用する際、位置調整雌ねじを調節してから、上述した固定部材２１を旋回させると、ライトを旋回させることができ、調整してから位置調整雌ねじを旋回させると、固定部材２１を装着部１２上にロックさせることができる。
【００１９】
上述したランプ２０は、ランプ体２２、光源アセンブリ２３及び位置調整部材２４を含む。上述したランプ体２２の底端下には、装着溝が形成される。上述した固定部材２１は、上述した装着溝内に取り付けられる。上述したランプ体２２は、メインハウジング２２４と、メインハウジング２２４の前端外側面上に取り付けられた調節ハウジング群２２５と、を含む。上述したメインハウジング２２４の前端には、調節部２２６が設けられる。上述した調節ハウジング群２２５は、調節部２２６の外側面に嵌設され、調節部２２６に沿って前後に移動可能である。上述した調節部２２６の外側面上には、対称に設けられた２つの位置調整溝２２７が形成される。上述した位置調整部材２４は、対応した位置調整溝内に取り付けられるとともに、位置調整溝２２７に沿って前後に移動可能である。位置調整部材２４は、Ｖ字状のベースと、ベースの外側面上に設けられた凸点と、を含む。Ｖ字状ベースが取り付けられた後、開口が後方を向いて設けられ、凸点が外方を向いて設けられる。
【００２０】
また、調節部２２６の前側外周表面上には、複数の係合溝２２８が形成される。上述した調節部２２６の外側面上には、ランプ体２２の延伸方向に延びた螺着溝３１が形成される。螺着溝３１内には、ねじ３０が配設される。上述したねじ３０は、調節ハウジング群２２５から螺着溝３１にかけて貫通されているため、調節ハウジング群２２５がランプ２０上にロックされる。
【００２１】
上述した調節ハウジング群２２５は、調節ハウジング２２９と、調節ハウジング２２９内に取り付けられた装着リング２３０と、光反射ミラー２３１と、凸レンズ２３２と、複数のパッキン２３３と、を含む。上述した装着リング２３０、光反射ミラー２３１、凸レンズ２３２は、内方から外方に順次配列される。複数のパッキン２３３は、光反射ミラー２３１、凸レンズ２３２、調節ハウジング２２９の間にそれぞれ取り付けられる。上述した調節ハウジング２２９上には、位置調整溝２２７に対応した位置に位置調整孔２３４が形成される。上述した位置調整部材２４のＶ字状ベースは、位置調整溝２２７内に取り付けられる。上述した凸点は、位置調整孔２３４内に延びる。
【００２２】
また、上述した調節ハウジング２２９の前端内側面には、位置拘束凸縁が設けられ、位置拘束凸縁により凸レンズ２３２が位置拘束される。上述した装着リング２３０上には、複数の係合片２３５が設けられる。上述した係合片２３５は、対応した係合溝２２８内に係合される。上述した光反射ミラー２３１の外側端面には、複数のバンプ２３６が設けられる。上述したバンプ２３６は、互いに隣り合う２つの係合片２３５間の係合溝２２８内に係合される。
【００２３】
上述した光源アセンブリ２３は、装着フレーム２３７、配線基板２３８及びＬＥＤ光源２３９を含む。支持部は、一端がランプ体２２の内側後端部に取り付けられ、他端がメインハウジング２２４の前端部まで延びる。上述した配線基板２３８は、装着フレーム２３７の前端面上に取り付けられる。上述したＬＥＤ光源２３９は、配線基板２３８上に取り付けられるとともに、上述した凸レンズ２３２に対応して配設される。
【００２４】
図６に示すように、実際に使用する際、ユーザの必要に応じて固定部材２１の外側の位置調整雌ねじを調節し、ランプ２０全体の回転角度を調整する。例えば、位置調整雌ねじを回して、固定部材２１と装着部１２との間の噛合ギアを分離させてから、ランプ２０を所望の角度まで旋回させた後、位置調整雌ねじを回して固定部材２１と装着部１２上のギアを再び噛合させて固定させる。上述したようなインデックスギア１４及びランプ体２２の設計により旋回の精度を高めることができる。
【００２５】
図７を参照する。図７に示すように、焦点を調整する際、上述したねじ３０を回して緩めると、上述した調節部材のＶ字状ベースも緩んで調整可能となり、前方又は後方へ調節ハウジング２２９を移動させ、調節ハウジング２２９により凸レンズ２３２を移動させ、光反射ミラー２３１との間隔を調節し、光反射ミラー２３１から凸レンズ２３２までの距離を変えて焦点を調整することができる。調整が完了した後は、ねじ３０を回して締める。
【００２６】
上述したことから分かるように、本考案の焦点調整が可能なガーデンライトは、出光を様々な角度にすることができる機能をガーデンライト製品に持たせ、ガーデンライトの機能性を高めることができる。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０  地面挿入部
１１  装着部材
１２  装着部
１３  装着孔
１４  インデックスギア
２０  ランプ
２１  固定部材
２２  ランプ体
２３  光源アセンブリ
２４  位置調整部材
３０  ねじ
３１  螺着溝
２２１  位置調整ギア
２２４  メインハウジング
２２５  調節ハウジング
２２６  調節部
２２７  位置調整溝
２２８  係合溝
２２９  調節ハウジング
２３０  装着リング
２３１  光反射ミラー
２３２  凸レンズ
２３３  パッキン
２３４  位置調整孔
２３５  係合片
２３６  バンプ
２３７  装着フレーム
２３８  配線基板
２３９  ＬＥＤ光源
【図１】
0003226123.tif 000003
【図２】
0003226123.tif 000004
【図３】
0003226123.tif 000005
【図４】
0003226123.tif 000006
【図５】
0003226123.tif 000007
【図６】
0003226123.tif 000008
【図７】
0003226123.tif 000009